(57)【要約】【課題】セキュリティの維持を図りつつ、情報処理端末から送信されたセキュア印刷ジョブの所在を確認する際の利便性を確保できる印刷ジョブ確認方法を提供すること。【解決手段】印刷システム１０は、プリンタ１５Ａ，１５Ｂの各々が、互いに異なるＡＲコードＡＲ１，ＡＲ２を有している。ＰＣ１４Ａは、セキュア印刷のセキュア印刷ジョブＪＯＢ１をプリンタ１５Ａに送信した後に（Ｓ３５）、サムネイル画像データＳＧ１とＡＲコードＡＲ１とを、携帯端末１３Ａに送信する（Ｓ３７）。一方で、プリンタ１５Ａは、ＡＲコードＡＲ１を表示部に表示する。そして、ユーザＵは、ＬＡＮに接続された複数のプリンタ１５Ａ，１５Ｂに表示されたＡＲコードＡＲ１，ＡＲ２を、携帯端末１３Ａで撮像する。携帯端末１３Ａは、撮像したデータとＡＲコードＡＲ１とが一致した場合には、サムネイル画像データＳＧ１をタッチパネルに表示する。【選択図】図４
2016071735.tif 000002
【特許請求の範囲】
【請求項１】
情報処理端末と、前記情報処理端末と通信可能な携帯端末と、前記情報処理端末から受信した印刷ジョブを実行する複数の印刷装置とを備え、前記複数の印刷装置は、第１認証コードを記憶する第１印刷装置と、前記第１認証コードとは異なる第２認証コードを記憶する第２印刷装置とを有する、印刷システムによる印刷ジョブ確認方法であって、
前記情報処理端末から前記第１印刷装置に、認証情報を付加されたセキュア印刷ジョブを送信するジョブ送信ステップと、
前記セキュア印刷ジョブを送信される前記第１印刷装置が有する前記第１認証コードと、前記セキュア印刷ジョブのサムネイル画像データとを前記携帯端末に送信するジョブ確認用情報送信ステップと、
前記第１認証コードと前記サムネイル画像データとを関連付けて前記携帯端末が記憶する携帯端末側記憶ステップと、
前記第１印刷装置が有する印刷装置側表示部に前記第１認証コードを表示する認証コード表示ステップと、
前記携帯端末が撮像する撮像ステップと、
撮像して読み込んだ撮像データが、前記携帯端末に記憶された前記第１認証コードと一致するか否かを判定する認証コード判定ステップと、
前記撮像データが前記第１認証コードと一致する場合に、前記第１認証コードと関連付けて前記携帯端末に記憶されている前記サムネイル画像データを、前記携帯端末が有する端末側表示部に表示するサムネイル画像表示ステップと、
を含むことを特徴とする印刷ジョブ確認方法。
【請求項２】
前記第１認証コードと前記第１印刷装置とを関連付けて前記情報処理端末が記憶する情報処理端末側記憶ステップを含み、
前記ジョブ確認用情報送信ステップにおいて、前記情報処理端末が、前記セキュア印刷ジョブを送信する前記第１印刷装置と関連付けて記憶している前記第１認証コードと、前記サムネイル画像データとを、前記携帯端末に送信することを特徴とする請求項１に記載の印刷ジョブ確認方法。
【請求項３】
前記情報処理端末から前記第１印刷装置に対して前記第１認証コードを要求する認証コード要求ステップと、
前記第１認証コードの要求に応答して、前記第１印刷装置から前記情報処理端末に対して前記第１認証コードを送信する応答ステップと、を含み、
前記情報処理端末側記憶ステップにおいて、前記情報処理端末が、前記第１印刷装置から送信される前記第１認証コードと前記第１印刷装置とを関連付けて記憶することを特徴とする請求項２に記載の印刷ジョブ確認方法。
【請求項４】
前記認証コード要求ステップにおいて、前記第１印刷装置を制御するためのプリンタドライバを、前記情報処理端末にインストールするのに応じて、前記情報処理端末から前記第１印刷装置に対して前記第１認証コードを要求することを特徴とする請求項３に記載の印刷ジョブ確認方法。
【請求項５】
前記情報処理端末が前記セキュア印刷ジョブの前記サムネイル画像データを作成する作成ステップを含むことを特徴とする請求項２乃至請求項４のいずれかに記載の印刷ジョブ確認方法。
【請求項６】
前記情報処理端末から受信した印刷ジョブに対して前記認証情報が付加されているか否かを前記第１印刷装置が判定するジョブ判定ステップを含み、
前記印刷ジョブに前記認証情報が付加されている場合に、前記認証コード表示ステップにおいて、前記印刷装置側表示部に前記第１認証コードを表示することを特徴とする請求項１乃至請求項５のいずれかに記載の印刷ジョブ確認方法。
【請求項７】
前記携帯端末側記憶ステップにおいて前記第１認証コードと前記サムネイル画像データとが関連付けられて前記携帯端末に記憶されたことに応じて、前記携帯端末の有する撮像部を起動する起動ステップを含むことを特徴とする請求項１乃至請求項６のいずれかに記載の印刷ジョブ確認方法。
【請求項８】
前記端末側表示部における前記サムネイル画像データの表示を消去すべき消去条件を満たしたか否かを判定する表示消去判定ステップと、
前記消去条件を満たす場合に、前記サムネイル画像データの表示を前記端末側表示部から消去する端末側表示消去ステップと、を含むことを特徴とする請求項１乃至請求項７のいずれかに記載の印刷ジョブ確認方法。
【請求項９】
前記表示消去判定ステップにおいて、前記消去条件は、前記端末側表示部に前記サムネイル画像データを表示した時点から所定時間が経過することであることを特徴とする請求項８に記載の印刷ジョブ確認方法。
【請求項１０】
前記端末側表示消去ステップにおいて前記端末側表示部から表示を消去した前記サムネイル画像データと、前記サムネイル画像データと関連付けて記憶されている前記第１認証コードを前記携帯端末から消去するジョブ確認用情報消去ステップを含むことを特徴とする請求項８又は請求項９に記載の印刷ジョブ確認方法。
【請求項１１】
前記端末側表示消去ステップにおいて前記サムネイル画像データの表示が前記端末側表示部から消去されたことに応じて、前記携帯端末の有する撮像部を停止する停止ステップを含むことを特徴とする請求項８乃至請求項１０のいずれかに記載の印刷ジョブ確認方法。
【請求項１２】
前記ジョブ送信ステップによって前記第１印刷装置に前記認証情報が入力される経路とは異なる経路を介して、前記第１印刷装置に前記認証情報を入力する認証情報入力ステップと、
前記認証情報入力ステップにおいて入力された認証情報と一致する認証情報を付加された前記セキュア印刷ジョブが前記第１印刷装置に蓄積されているか否かを判定するセキュア印刷判定ステップと、
入力された認証情報と一致する認証情報を付加された前記セキュア印刷ジョブが前記第１印刷装置に蓄積されている場合、当該セキュア印刷ジョブを実行するセキュア印刷ステップと、を含むことを特徴とする請求項１乃至請求項１１のいずれかに記載の印刷ジョブ確認方法。
【請求項１３】
実行されていない前記セキュア印刷ジョブが前記第１印刷装置に蓄積されているか否かを判定する未実行ジョブ判定ステップと、
実行されていない前記セキュア印刷ジョブが前記第１印刷装置に蓄積されていない場合に、前記第１認証コードの表示を前記印刷装置側表示部から消去する印刷装置側消去ステップと、を含むことを特徴とする請求項１２に記載の印刷ジョブ確認方法。
【請求項１４】
情報処理端末と、前記情報処理端末と通信可能な携帯端末と、前記情報処理端末から受信した印刷ジョブを実行する複数の印刷装置とを備える印刷ジョブ確認システムであって、
前記複数の印刷装置は、
第１認証コードを記憶し、前記第１認証コードを表示する印刷装置側表示部を有する第１印刷装置と、
前記第１認証コードとは異なる第２認証コードを記憶する第２印刷装置と、を有し、
前記情報処理端末は、
認証情報を付加されたセキュア印刷ジョブを前記第１印刷装置に送信する情報処理端末側通信部を有し、
前記携帯端末は、
前記セキュア印刷ジョブを送信される前記第１印刷装置が有する前記第１認証コードと、前記セキュア印刷ジョブのサムネイル画像データとを受信する端末側通信部と、
前記第１認証コードと前記サムネイル画像データとを関連付けて記憶する関連付け処理部と、
前記第１認証コードを撮像する撮像部と、
撮像して読み込んだ撮像データが、前記第１認証コードと一致するか否かを判定する判定部と、
前記撮像データが前記第１認証コードと一致する場合に、前記第１認証コードと関連付けて記憶されている前記サムネイル画像データを表示する端末側表示部と、を有することを特徴とする印刷ジョブ確認システム。
【請求項１５】
情報処理端末と、前記情報処理端末と通信可能な携帯端末と、前記情報処理端末から受信した印刷ジョブを実行する複数の印刷装置とを備え、前記複数の印刷装置は、第１認証コードを記憶する第１印刷装置と、前記第１認証コードとは異なる第２認証コードを記憶する第２印刷装置とを有する、印刷システムに対し、
前記情報処理端末から前記第１印刷装置に、認証情報を付加されたセキュア印刷ジョブを送信するジョブ送信処理と、
前記セキュア印刷ジョブを送信される前記第１印刷装置が有する前記第１認証コードと、前記セキュア印刷ジョブのサムネイル画像データとを前記携帯端末に送信するジョブ確認用情報送信処理と、
前記第１認証コードと前記サムネイル画像データとを関連付けて前記携帯端末が記憶する携帯端末側記憶処理と、
前記第１印刷装置が有する印刷装置側表示部に前記第１認証コードを表示する認証コード表示処理と、
前記携帯端末が撮像する撮像処理と、
撮像して読み込んだ撮像データが、前記携帯端末に記憶された前記第１認証コードと一致するか否かを判定する認証コード判定処理と、
前記撮像データが前記第１認証コードと一致する場合に、前記第１認証コードと関連付けて前記携帯端末に記憶されている前記サムネイル画像データを前記携帯端末が有する端末側表示部に表示するサムネイル画像表示処理と、
を実行させることを特徴とするプログラム。
【発明の詳細な説明】
【技術分野】
【０００１】
本発明は、印刷ジョブ確認方法、印刷ジョブ確認システム及びプログラムに関する。さらに詳細には、情報処理端末から送信されたセキュア印刷ジョブの所在を確認する技術に関するものである。
【背景技術】
【０００２】
オフィス等に設置される印刷装置は、複数のユーザが共有して利用することが一般的であるが、印刷ジョブの中には、機密性を要求される画像データが含まれていることがある。これに対し、印刷装置の中には、受信した印刷ジョブを一時的に蓄積しておき、印刷ジョブを送信したユーザが操作パネルを用いてパスワードの入力などの認証を行うまで印刷を実行しない、所謂セキュア印刷を実行することによりセキュリティの向上を図ったものがある（特許文献１など）。この種の印刷装置では、例えば、認証が必要なセキュア印刷ジョブを蓄積し、蓄積したセキュア印刷ジョブの各々に対応付けた認証コード（二次元コードなど）を操作パネルに表示するものがある。そして、ユーザは、操作パネルに表示された認証コードを、撮像機能を有する携帯端末で撮像し、携帯端末に認証コードを読み込ませる。認証コードの読み込みに成功し、読み込ませた認証コードに関連付けられたサムネイル画像データが携帯端末に表示されることによって、ユーザは、自身の送信したセキュア印刷ジョブが印刷装置に蓄積されていることを、セキュリティを維持しながら確認することが可能となる。
【先行技術文献】
【特許文献】
【０００３】
【特許文献１】特開２０１３−２０６０２６号公報
【発明の概要】
【発明が解決しようとする課題】
【０００４】
上記した印刷装置では、複数のセキュア印刷ジョブが蓄積される場合、セキュア印刷ジョブごとに異なる認証コードが、操作パネルにまとめて表示される。そのため、ユーザは、自身のセキュア印刷ジョブに対応する認証コードを読み込むまで、操作パネルに表示された複数の認証コードの一つ一つを順に携帯端末で撮影することとなり、認証コードを表示している印刷装置が自身のセキュア印刷ジョブを蓄積している装置であるかを確認するのに時間を要する虞があった。
【０００５】
本願に開示される技術は、上記の課題に鑑み提案されたものである。セキュリティの維持を図りつつ、情報処理端末から送信されたセキュア印刷ジョブの所在を確認する際の利便性を確保できる印刷ジョブ確認方法、印刷ジョブ確認システム及びプログラムを提供することを目的とする。
【課題を解決するための手段】
【０００６】
上記課題を解決するために、本発明の印刷ジョブ確認方法は、情報処理端末と、情報処理端末と通信可能な携帯端末と、情報処理端末から受信した印刷ジョブを実行する複数の印刷装置とを備え、複数の印刷装置は、第１認証コードを記憶する第１印刷装置と、第１認証コードとは異なる第２認証コードを記憶する第２印刷装置とを有する、印刷システムによる印刷ジョブ確認方法であって、情報処理端末から第１印刷装置に、認証情報を付加されたセキュア印刷ジョブを送信するジョブ送信ステップと、セキュア印刷ジョブを送信される第１印刷装置が有する第１認証コードと、セキュア印刷ジョブのサムネイル画像データとを携帯端末に送信するジョブ確認用情報送信ステップと、第１認証コードとサムネイル画像データとを関連付けて携帯端末が記憶する携帯端末側記憶ステップと、第１印刷装置が有する印刷装置側表示部に第１認証コードを表示する認証コード表示ステップと、携帯端末が撮像する撮像ステップと、撮像して読み込んだ撮像データが、携帯端末に記憶された第１認証コードと一致するか否かを判定する認証コード判定ステップと、撮像データが第１認証コードと一致する場合に、第１認証コードと関連付けて携帯端末に記憶されているサムネイル画像データを、携帯端末が有する端末側表示部に表示するサムネイル画像表示ステップと、を含むことを特徴とする。なお、サムネイル画像データとは、例えば、印刷結果の画像を縮小して表示するためのデータである。
【０００７】
当該印刷ジョブ確認方法では、第１及び第２印刷装置の各々が、互いに異なる認証コード（第１認証コード、第２認証コード）を有している。ここでいう認証コードとは、例えば、拡張現実（ＡＲ）技術を利用したＡＲコードや、ＱＲコード（登録商標）などの二次元バーコードである。認証情報を付加されたセキュア印刷ジョブが、情報処理端末から第１印刷装置に送信されるのに応じて、第１印刷装置が有する第１認証コード及びセキュア印刷ジョブのサムネイル画像データが、携帯端末に送信される。この認証情報は、例えば、セキュア印刷ジョブの実行を許可するために、印刷装置の操作パネルに入力するためのパスワードである。携帯端末は、第１認証コードとサムネイル画像データとを関連付けて記憶する。一方で、第１印刷装置は、印刷装置側表示部に第１認証コードを表示する。そして、例えば、印刷システムのユーザは、複数の印刷装置の印刷装置側表示部に表示された認証コードを、携帯端末で撮像する。撮像して読み込んだ撮像データが、第１認証コードと一致する場合に、第１認証コードと関連付けて携帯端末に記憶されているサムネイル画像データを、端末側表示部に表示する。当該印刷ジョブ確認方法では、複数のセキュア印刷ジョブが第１印刷装置に蓄積される場合に、セキュア印刷ジョブごとに異なる認証コードを表示する必要がなくなる。好適には、印刷装置側表示部には、各印刷装置（第１及び第２印刷装置）の認証コード（第１認証コードや第２認証コード）だけを表示する。これにより、ユーザは、例えば、印刷装置側表示部に表示された１つの認証コードを携帯端末で撮像し読み込むだけで、当該認証コードを表示している印刷装置が自身のセキュア印刷ジョブを蓄積している装置であるかを確認できる。従って、当該印刷ジョブ確認方法では、セキュリティの維持を図りつつ、情報処理端末から送信されたセキュア印刷ジョブの所在を確認する際の利便性を確保できる。
【０００８】
また、本発明の印刷ジョブ確認方法は、第１認証コードと第１印刷装置とを関連付けて情報処理端末が記憶する情報処理端末側記憶ステップを含み、ジョブ確認用情報送信ステップにおいて、情報処理端末が、セキュア印刷ジョブを送信する第１印刷装置と関連付けて記憶している第１認証コードと、サムネイル画像データとを、携帯端末に送信する構成としてもよい。
【０００９】
当該印刷ジョブ確認方法では、情報処理端末が、第１認証コードと第１印刷装置とを関連付けて記憶する処理を行う。また、情報処理端末は、ジョブ確認用情報送信ステップにおいて、第１認証コード及びサムネイル画像データを携帯端末に送信する。ここで、例えば、第１認証コード及びサムネイル画像データを、情報処理端末が送信せずに、各印刷装置が携帯端末に送信する構成を考える。このような構成では、ユーザは、使用する携帯端末に拘わる情報（第１認証コード等を送信するための送信先のメールアドレス）などを、使用する可能性のある印刷装置の全てに設定する作業が必要となる虞がある。これに対し、当該印刷ジョブ確認方法では、例えば、ユーザは、自分が使用する情報処理端末（パーソナルコンピュータなど）と携帯端末とを予め決めておき、セキュア印刷ジョブの送信と併せて認証コード等を携帯端末に自動で送信する設定を情報処理端末にしておく。この設定は、情報処理端末のメール機能（メーラーの自動送信機能や転送機能など）を利用して実現可能である。これにより、複数の印刷装置に対する設定が不要となり、ユーザに対する利便性が向上する。
【００１０】
また、本発明の印刷ジョブ確認方法は、情報処理端末から第１印刷装置に対して第１認証コードを要求する認証コード要求ステップと、第１認証コードの要求に応答して、第１印刷装置から情報処理端末に対して第１認証コードを送信する応答ステップと、を含み、情報処理端末側記憶ステップにおいて、情報処理端末が、第１印刷装置から送信される第１認証コードと第１印刷装置とを関連付けて記憶する構成としてもよい。
【００１１】
当該印刷ジョブ確認方法では、情報処理端末は、第１印刷装置に対して第１認証コードを要求し取得する。また、情報処理端末は、情報処理端末側記憶ステップにおいて、第１印刷装置から送信される第１認証コードと第１印刷装置とを関連付けて記憶する。ここで、例えば、情報処理端末から第１印刷装置に第１認証コードを要求せずに、認証コードを統括して管理するサーバに対して第１認証コードを要求する構成を考える。このような構成では、別途、管理用のサーバを設置する作業や、複数の印刷装置の各々と各印刷装置が有する認証コードとを関連付けたデータをサーバに設定するなど、印刷システムの構築作業が煩雑となる虞がある。これに対し、当該印刷ジョブ確認方法では、情報処理端末が、第１印刷装置から第１認証コードを直接取得する処理を行うため、別途、認証コードを管理するサーバ等を設ける必要がなくなり、印刷システムの構築作業の簡素化が図れる。
【００１２】
また、本発明の印刷ジョブ確認方法は、認証コード要求ステップにおいて、第１印刷装置を制御するためのプリンタドライバを、情報処理端末にインストールするのに応じて、情報処理端末から第１印刷装置に対して第１認証コードを要求する構成としてもよい。
【００１３】
当該印刷ジョブ確認方法では、例えば、情報処理端末にプリンタドライバをインストールする際に、インストーラを実行するのに応じて情報処理端末が、ネットワークに接続された複数の印刷装置の中から、当該プリンタドライバに対応する第１印刷装置の第１認証コードを要求する。これにより、情報処理端末は、プリンタドライバをインストールして第１印刷装置が利用可能となるのに併せて、予め認証コードを取得しておくことが可能となる。
【００１４】
また、本発明の印刷ジョブ確認方法は、情報処理端末がセキュア印刷ジョブのサムネイル画像データを作成する作成ステップを含む構成としてもよい。
【００１５】
当該印刷ジョブ確認方法では、情報処理端末は、セキュア印刷ジョブを第１印刷装置に送信するのに併せて、サムネイル画像データを携帯端末に送信することが可能となる。従って、当該印刷ジョブ確認方法では、情報処理端末以外の装置がサムネイル画像データを作成する場合に比べて、早急に携帯端末にサムネイル画像データを送信することが可能となる。
【００１６】
また、本発明の印刷ジョブ確認方法は、情報処理端末から受信した印刷ジョブに対して認証情報が付加されているか否かを第１印刷装置が判定するジョブ判定ステップを含み、印刷ジョブに認証情報が付加されている場合に、認証コード表示ステップにおいて、印刷装置側表示部に第１認証コードを表示する構成としてもよい。
【００１７】
当該印刷ジョブ確認方法では、第１印刷装置は、受信した印刷ジョブに対して認証情報が付加されている場合に、印刷装置側表示部に第１認証コードを表示する。これにより、セキュア印刷を実行していない期間は、印刷装置側表示部に第１認証コードを表示せずに他の情報を表示することで表示領域を有効に活用する、あるいは印刷装置側表示部を非表示として電源供給を停止することで省電力化を図ることが可能となる。
【００１８】
また、本発明の印刷ジョブ確認方法は、携帯端末側記憶ステップにおいて第１認証コードとサムネイル画像データとが関連付けられて携帯端末に記憶されたことに応じて、携帯端末の有する撮像部を起動する起動ステップを含む構成としてもよい。
【００１９】
当該印刷ジョブ確認方法では、携帯端末の撮像部は、携帯端末側記憶ステップにおいて、第１認証コードとサムネイル画像データとを関連付けて記憶したことに応じて起動される。例えば、携帯端末は、記憶処理が終わると自動で撮像部を起動する。これにより、携帯端末における第１認証コードの受信状況の確認や、携帯端末を操作して撮像部を起動する手間が省けて、ユーザの利便性が向上する。
【００２０】
また、本発明の印刷ジョブ確認方法は、端末側表示部におけるサムネイル画像データの表示を消去すべき消去条件を満たしたか否かを判定する表示消去判定ステップと、消去条件を満たす場合に、サムネイル画像データの表示を端末側表示部から消去する端末側表示消去ステップと、を含む構成としてもよい。
【００２１】
当該印刷ジョブ確認方法では、端末側表示部におけるサムネイル画像データの表示を消去すべき消去条件を満たしたか否かを判定する。より具体的には、例えば、サムネイル画像データを端末側表示部に表示してから所定時間だけ経過した場合や印刷装置からセキュア印刷ジョブの印刷が完了した旨の通知を受けた場合などである。これにより、消去条件を満たす場合に、サムネイル画像データの表示を端末側表示部から消去することで、機密性を要求されるサムネイル画像を、不必要となった後に迅速に非表示としセキュリティの維持を図ることが可能となる。
【００２２】
また、本発明の印刷ジョブ確認方法は、表示消去判定ステップにおいて、消去条件は、端末側表示部にサムネイル画像データを表示した時点から所定時間が経過することである構成としてもよい。
【００２３】
当該印刷ジョブ確認方法では、端末側表示部にサムネイル画像データを表示した時点から所定時間が経過すると、サムネイル画像データを表示画面から消去する。これにより、セキュア印刷ジョブに拘わるデータを適切なタイミングで携帯端末から消去することで、セキュリティの維持を図ることが可能となる。
【００２４】
また、本発明の印刷ジョブ確認方法は、端末側表示消去ステップにおいて端末側表示部から表示を消去したサムネイル画像データと、サムネイル画像データと関連付けて記憶されている第１認証コードを携帯端末から消去するジョブ確認用情報消去ステップを含む構成としてもよい。
【００２５】
当該印刷ジョブ確認方法では、サムネイル画像データの表示を端末側表示部から消去した後、サムネイル画像データ及び第１認証コードを携帯端末から消去する。これにより、セキュリティの維持を図ることが可能となる。
【００２６】
また、本発明の印刷ジョブ確認方法は、端末側表示消去ステップにおいてサムネイル画像データの表示が端末側表示部から消去されたことに応じて、携帯端末の有する撮像部を停止する停止ステップを含む構成としてもよい。
【００２７】
当該印刷ジョブ確認方法では、利用しなくなった撮像部を停止する操作を行う手間が省けて、ユーザの利便性が向上する。
【００２８】
また、本発明の印刷ジョブ確認方法は、ジョブ送信ステップによって第１印刷装置に認証情報が入力される経路とは異なる経路を介して、第１印刷装置に認証情報を入力する認証情報入力ステップと、認証情報入力ステップにおいて入力された認証情報と一致する認証情報を付加されたセキュア印刷ジョブが第１印刷装置に蓄積されているか否かを判定するセキュア印刷判定ステップと、入力された認証情報と一致する認証情報を付加されたセキュア印刷ジョブが第１印刷装置に蓄積されている場合、当該セキュア印刷ジョブを実行するセキュア印刷ステップと、を含む構成としてもよい。
【００２９】
当該印刷ジョブ確認方法では、ジョブ送信ステップによって第１印刷装置に認証情報が入力される経路とは異なる経路を介して、第１印刷装置に認証情報を入力する。例えば、セキュア印刷ジョブは、情報処理端末から第１印刷装置にＬＡＮを介して送信される。また、認証情報（パスワード）は、第１印刷装置の操作パネルを用いて入力される。入力された認証情報と一致する認証情報を付加されたセキュア印刷ジョブが第１印刷装置に蓄積されている場合、セキュア印刷ジョブを実行する。これにより、当該印刷ジョブ確認方法では、異なる入力経路による確認を行うことにより、具体的には、セキュア印刷ジョブを送信したユーザが操作パネルを用いてパスワードの入力を行うまで印刷を実行しないことにより、セキュリティの維持を図ることが可能となる。
【００３０】
また、本発明の印刷ジョブ確認方法は、実行されていないセキュア印刷ジョブが第１印刷装置に蓄積されているか否かを判定する未実行ジョブ判定ステップと、実行されていないセキュア印刷ジョブが第１印刷装置に蓄積されていない場合に、第１認証コードの表示を印刷装置側表示部から消去する印刷装置側消去ステップと、を含む構成としてもよい。
【００３１】
当該印刷ジョブ確認方法では、セキュア印刷ジョブを実行した後に、他の未実行のセキュア印刷ジョブが第１印刷装置に蓄積されていない場合には、印刷装置側表示部に表示した第１認証コードを表示画面から消去することにより、印刷装置側表示部の表示領域を有効に活用等することが可能となる。
【００３２】
さらに、本願に係る発明は、印刷ジョブ確認方法の発明に限定されることなく、情報処理端末、携帯端末、及び複数の印刷装置を備えるジョブ確認システムの発明や、印刷システムを制御するプログラムの発明としても実施し得るものである。
【発明の効果】
【００３３】
本発明に記載の画像形成装置等では、セキュリティの維持を図りつつ、情報処理端末から送信されたセキュア印刷ジョブの所在を確認する際の利便性を確保できる。
【図面の簡単な説明】
【００３４】
【図１】実施形態の印刷システムのネットワーク構成図である。
【図２】パーソナルコンピュータ、携帯端末及びプリンタの構成を示すブロック図である。
【図３】プリンタの表示部にＡＲコードが表示された状態を示す斜視図である。
【図４】印刷システムで実行されるセキュア印刷ジョブに拘わるデータの送受信を表した模式図である。
【図５】印刷システムにおけるＡＲコードを取得する処理動作のフローチャートと、ＡＲコードを送信する処理動作のフローチャートである。
【図６】印刷ジョブをプリンタに送信する処理動作、及びサムネイル画像データなどを携帯端末に送信する処理動作のフローチャートと、ＡＲコードを表示する処理動作のフローチャートである。
【図７】撮像されたＡＲコードを判定し、判定結果に応じてサムネイル画像データを表示する処理動作のフローチャートである。
【図８】プリンタの表示部に表示されたＡＲコードを携帯端末で撮影して読み込んだ際のタッチパネルの表示状態を説明するための図ある。
【図９】印刷システムにおけるセキュア印刷の処理動作を説明するためのフローチャートである。
【図１０】別例における印刷ジョブをプリンタに送信する処理動作、及びサムネイル画像データなどを携帯端末に送信する処理動作のフローチャートと、ＡＲコードを表示する処理動作のフローチャートである。
【発明を実施するための形態】
【００３５】
以下、本願の一実施形態について図面を参照しつつ説明する。図１は、実施形態における印刷システムのネットワーク構成を示している。図１に示す印刷システム１０は、例えば、オフィス内に設けられたローカルエリアネットワーク（ＬＡＮ：Local Area Network）に無線通信を介して接続された携帯端末１３と、有線（ＬＡＮケーブルなど）を介して接続されたパーソナルコンピュータ（以下、「ＰＣ」という）１４及びプリンタ１５とを有している。ユーザＵが、複数のＰＣ１４のいずれかを操作することにより、操作されたＰＣ１４から複数のプリンタ１５のいずれかにセキュア印刷ジョブが送信され、後述のセキュア印刷が実行される。ここで、例えば、オフィスのフロアー内に同機種のプリンタ１５が複数台設置されている場合には、ユーザＵは、セキュア印刷ジョブを送信したプリンタ１５が、どれであるのかが分からなくなる場合がある。これに対し、当該印刷システム１０では、複数のプリンタ１５のいずれかにセキュア印刷ジョブが送信された際に、ユーザＵは、自身のセキュア印刷ジョブを受信し蓄積しているプリンタ１５の所在を、後述するように、携帯端末１３を使用して確認することができる。
【００３６】
図２に示すように、ＰＣ１４は、制御部２１と、操作部２３と、記憶部２５と、通信部２７（情報処理端末側通信部）と、表示部２９とを有している。制御部２１は、例えば、複数のＣＰＵ（Central Processing Unit）と、各ＣＰＵが実行するプログラムが記憶されたメモリと、各ＣＰＵがプログラムの実行時にデータを一時的に記憶するためのＲＡＭと、これらの装置を互いに接続するための内部バスなどを有している（それぞれ不図示）。制御部２１のＣＰＵで様々なプログラムが実行されることにより、ＰＣ１４において各種機能が実現される。制御部２１は、例えば、各種機能の一部として、後述するサムネイル画像作成部２２を実現する。この機能は、例えば、制御部２１がプリンタ１５に対応するプリンタドライバを実行することによって提供される機能である。
【００３７】
操作部２３は、キーボードやマウス等の入力装置である。記憶部２５は、例えば、データを書き替え可能に記憶するＥＥＰＲＯＭ（Electrically Erasable and Programmable Read Only Memory）であり、１又は複数の印刷データが保存されている。この印刷データは、プリンタ１５で印刷可能なデータであり、例えば、操作部２３を操作して作成したテキストファイル、画像、写真などのデータである。通信部２７は、制御部２１の制御に基づいて、ＬＡＮを介して複数のプリンタ１５と印刷データなどの情報の送受信を行う。また、通信部２７は、ＬＡＮに接続されたアクセスポイントを介して、例えば、ＩＥＥＥ（Institute of Electrical and Electronic Engineers）８０２．１１ｂに準拠した無線通信により、携帯端末１３と通信を行う。表示部２９は、ＰＣ１４における表示デバイスとして機能し各種情報を表示する。
【００３８】
携帯端末１３は、制御部３１と、メモリ３５と、タッチパネル３６（端末側表示部）と、通信部３７（端末側送信部）と、撮像部３９とを有している。制御部３１は、例えば、複数のＣＰＵなどを備え、各ＣＰＵが様々なプログラムを実行することにより、各種機能を実現する。
【００３９】
通信部３７は、制御部３１の制御に基づいて、例えば、ＩＥＥＥ８０２．１１ｂに準拠した無線通信を、ＬＡＮに接続されたアクセスポイントと行う。通信部３７は、例えば、ＬＡＮを介してＰＣ１４から受信したデータを、メモリ３５に一時的に記憶する。タッチパネル３６は、携帯端末１３における表示デバイスとしての機能と、入力デバイスとしての機能を兼ねている。撮像部３９は、撮像素子、例えば、ＣＣＤ（Charged Coupled Device）イメージセンサを備え、制御部３１の制御に基づいて、静止画や動画を撮像し、メモリ３５に保存する。
【００４０】
プリンタ１５は、制御部４１と、操作部４３と、記憶部４４と、表示部（印刷装置側表示部）４５と、通信部４７と、印刷部４９とを有している。制御部４１は、例えば、複数のＣＰＵなどを備え、各ＣＰＵが様々なプログラムを実行することにより、各種機能を実現する。操作部４３は、図３に示すように、プリンタ１５の装置筐体の上部に設けられ、ユーザＵからの操作指示を受け付けるためのスイッチ等が設けられている。制御部４１は、ユーザＵからの操作部４３に対する操作指示の内容に応じて、表示部４５の表示内容を変更したり、コピー機能やＦＡＸ機能を実現したりする。
【００４１】
また、複数のプリンタ１５の各々は、互いに異なる認証コードを記憶部４４に記憶している。この認証コードは、セキュア印刷ジョブの確認に用いられる。このため、本実施形態の印刷システム１０では、セキュア印刷ジョブを実行するプリンタ１５が異なれば、使用する認証コードも異なる。認証コードは、例えば、拡張現実（ＡＲ）技術を利用したＡＲコードＡＲ（図３参照）である。ここでいうＡＲ技術とは、例えば、人が直接視覚では認識することができない画像、物体やテキスト情報などを、ＡＲコードＡＲを撮像したカメラの画面に重畳的に表示する技術である。ＡＲコードＡＲは、略正方形をなす黒色の領域内に所定のパターンが形成されている。なお、認証コードは、ＡＲコードＡＲに限らず、ＱＲコード（登録商標）などの二次元バーコードを採用することもできる。また、ＡＲコードＡＲは、例えば、プリンタ１５の製造時に、製造メーカによって設定され、記憶部４４に記憶される。あるいは、プリンタ１５は、ユーザＵが操作部４３を操作することによって、ＡＲコードＡＲを設定、変更等できる構成でもよい。あるいは、例えば、各プリンタ１５は、複数のＡＲコードＡＲを記憶部４４に記憶しており、ユーザＵにより選択可能な構成でもよい。この場合、例えば、図１に示す印刷システム１０のシステム管理者等が、ＬＡＮに接続された複数のプリンタ１５の各々に対し、互いに重複しないようにＡＲコードＡＲを選択及び設定する。
【００４２】
また、制御部４１は、ＰＣ１４からセキュア印刷ジョブを受信するのに応じて、記憶部４４に記憶された装置固有となるＡＲコードＡＲを表示部４５に表示する（図３参照）。また、通信部４７は、制御部４１の制御に基づいて、ＬＡＮを介してＰＣ１４や他のプリンタ１５とデータの送受信を行う。印刷部４９は、ＰＣ１４から受信した印刷ジョブに応じて、シート（用紙やＯＨＰシート等）への印刷を行う。また、印刷部４９は、セキュア印刷ジョブを実行する場合には、操作部４３に対するユーザＵからの認証情報（パスワードなど）の入力に応じて、シートへの印刷を行う。
【００４３】
次に、印刷システム１０の印刷処理について、図４〜図９を参照しつつ説明する。
図４は、セキュア印刷に拘わるデータの送受信を模式的に示している。なお、以下の説明では、図４に示すように、複数の携帯端末１３、ＰＣ１４、プリンタ１５を区別するために、各装置等に互いに異なる符号（携帯端末１３Ａ，１３Ｂ、ＰＣ１４Ａ，１４Ｂ、プリンタ１５Ａ，１５Ｂ、ＡＲコードＡＲ１，ＡＲ２）を付して説明する。本実施形態の印刷システム１０では、セキュア印刷を実行するのに先立ち、ＬＡＮに接続された複数のプリンタ１５が保有するＡＲコードＡＲを、各ＰＣ１４に送信する処理を行う。
【００４４】
一例として、ＰＣ１４Ａがプリンタ１５ＡのＡＲコードＡＲ１を取得する場合について説明する。ＰＣ１４Ａは、例えば、プリンタ１５Ａを制御するプリンタドライバをＰＣ１４Ａにインストールする際に、プリンタ１５ＡにＡＲコードＡＲ１の送信を要求する。図５は、ＡＲコードＡＲ１を取得する制御部２１による処理動作のフローチャートと、ＡＲコードＡＲ１を送信する制御部４１による処理動作のフローチャートとを示している。制御部２１は、例えば、プリンタ１５Ａに対応したプリンタドライバのインストーラの実行に合わせて、図５に示す処理動作を開始する。また、制御部４１は、制御部２１からのＡＲコードＡＲ１の要求信号の受信に合わせて、図５に示す処理動作を開始する。
【００４５】
まず、図５に示すステップ（以下、単に「Ｓ」と表記）１１において、ユーザＵは、ＰＣ１４Ａの操作部２３（図２参照）を操作して、プリンタ１５Ａに対応したプリンタドライバのインストーラを制御部２１に実行させる。このインストーラは、ネットワーク上のサーバ（図示略）からダウンロードしてもよく、ＣＤ等の記憶媒体から読み込んでもよい。制御部２１は、インストーラの実行にともなって、例えば、印刷するポートの設定（ＩＰアドレスやプロトコルの設定）などの通常の印刷に必要な設定を、ユーザＵからの入力に応じて実行する。制御部２１は、印刷設定が完了した後に、プリンタ１５ＡからＡＲコードＡＲ１を取得するか否かの選択を促す表示を表示部２９に表示する。なお、制御部２１は、ＡＲコードＡＲ１を取得するか否かをユーザＵに選択させずに、印刷設定が完了した後に自動でＡＲコードＡＲ１を取得する処理を開始してもよい。
【００４６】
表示部２９の表示に従って、ユーザＵがＡＲコードＡＲ１の取得を選択したことに応じて、制御部２１は、プリンタ１５Ａに対してＡＲコードＡＲ１を要求する要求信号を送信する（Ｓ１３）。プリンタ１５Ａの制御部４１は、ＰＣ１４Ａからの要求信号を受信すると（Ｓ２１）、記憶部４４に記憶されたＡＲコードＡＲ１を、送信を要求したＰＣ１４Ａに応答する（図４及び図５のＳ２３）。
【００４７】
制御部２１は、プリンタ１５ＡからＡＲコードＡＲ１を受信したか否かの判定を、ＡＲコードＡＲ１を受信するまで繰り返し行う（Ｓ１５：ＮＯ）。制御部２１は、ＡＲコードＡＲ１を受信すると（Ｓ１５：ＹＥＳ）、ＡＲコードＡＲ１を記憶するプリンタ１５Ａに関する情報とＡＲコードＡＲ１とを関連付けて記憶部２５に記憶する（Ｓ１７）。なお、制御部２１は、所定時間だけ経過してもＡＲコードＡＲ１を受信できない場合には、表示部２９にエラーを表示するなどのエラー処理を実行してもよい。また、ＰＣ１４Ａは、ＬＡＮに接続された他のプリンタ１５Ｂに対しても同様に、プリンタドライバのインストール時に、プリンタ１５ＢからＡＲコードＡＲ２を取得する処理を行う。このようにして、ＰＣ１４Ａは、ＬＡＮに接続された複数のプリンタ１５Ａ，１５Ｂが保有するＡＲコードＡＲ１，ＡＲ２を取得し、各プリンタ１５Ａ，１５Ｂと関連付けて記憶部２５に記憶する。
【００４８】
次に、制御部２１は、セキュア印刷を実行する際に、ＡＲコードＡＲ１，ＡＲ２やサムネイル画像データＳＧ１などのデータを送信する送信先の設定を行う（Ｓ１９）。例えば、ユーザＵは、ＰＣ１４Ａの操作部２３を操作して、自身が使用する携帯端末１３Ａのメールアドレスを送信先として設定する。同様に、ＰＣ１４Ｂには、セキュア印刷ジョブを実行する際に、各種データを送信する送信先として、携帯端末１３Ｂのメールアドレスが設定されている。そして、ＰＣ１４Ａの制御部２１は、送信先の設定が終了すると、プリンタドライバのインストーラの実行を終了する。
【００４９】
次に、ＰＣ１４Ａからプリンタ１５Ａに対して印刷ジョブを送信する処理について説明する。図６は、印刷ジョブをプリンタ１５Ａに送信し、サムネイル画像データＳＧ１などを携帯端末１３Ａに送信する制御部２１による処理動作のフローチャートと、ＡＲコードＡＲ１を表示する制御部４１による処理動作のフローチャートとを示している。制御部２１は、例えば、プリンタドライバ固有の印刷設定画面上において、セキュア印刷を指定する操作がユーザＵによりなされると、図６に示す処理動作を開始する。また、制御部４１は、例えば、制御部２１からセキュア印刷ジョブＪＯＢ１を受信するのに合わせて、図６に示す処理動作を開始する。
【００５０】
ユーザＵは、ＰＣ１４Ａの表示部２９（図２参照）を確認しながら操作部２３を操作することにより、ＰＣ１４Ａの記憶部２５に記憶されたアプリケーションプログラムを用いて文書や図形等の画像データを作成する。例えば、作成した画像データに基づく印刷処理を実行させたい目的で、作成した画像データとともに表示部２９に表示されている印刷タブを選択する操作がユーザＵによりなされると、ＰＣ１４Ａの制御部２１は、画像データを作成したアプリケーションプログラムによる印刷設定画面を表示部２９に表示する。ユーザＵが、印刷設定画面上に表示された、印刷処理を実行するプリンタのリストの中から、操作部２３を介してプリンタ１５Ａを選択し、プロパティを選択すると、制御部２１は、プリンタ１５Ａに応じたプリンタドライバを起動する。プリンタドライバには、サムネイル画像作成部２２が含まれている。
【００５１】
制御部２１は、プリンタドライバの起動にともなって、プリンタ１５Ａのプリンタドライバ固有の印刷設定画面を表示部２９に表示する。プリンタ１５Ａのプリンタドライバ固有の印刷設定画面上には、印刷を指定するための項目が表示される。そして、例えば、作成した画像データが機密情報を含む内容であり、第三者の目に触れるのを極力避けたい目的で、セキュア印刷を指定する操作がユーザＵによりなされると、制御部２１は、セキュア印刷の実行に必要なパスワードの入力を促す表示を印刷設定画面上に行う。ユーザＵが、操作部２３を操作して印刷設定画面上に表示された入力スペースにパスワードを入力し、ＯＫボタンを選択することにより、制御部２１は、入力されたパスワードを記憶部２５に記憶する（Ｓ３１）。
【００５２】
次に、ユーザＵが、操作部２３を操作して印刷設定画面上に表示された印刷開始ボタンを選択することにより、制御部２１は、印刷開始の指示を受け付ける（Ｓ３２）。制御部２１は、プリンタドライバを介して、画像データに基づき作成した、プリンタ１５Ａにて印刷するための印刷データ、当該印刷データを印刷するプリンタ１５Ａや印刷設定に拘わる情報、及び記憶部２５に記憶したパスワード等を含むセキュア印刷ジョブＪＯＢ１を作成するとともに、セキュア印刷ジョブＪＯＢ１のサムネイル画像データＳＧ１を、サムネイル画像作成部２２に作成させる（Ｓ３３）。制御部２１は、通信部２７を制御して、セキュア印刷ジョブＪＯＢ１をプリンタ１５Ａに送信する（図４及び図５のＳ３５）。
【００５３】
そして、本実施形態の印刷システム１０では、ＰＣ１４Ａの制御部２１は、Ｓ３３で作成したサムネイル画像データＳＧ１と、セキュア印刷ジョブＪＯＢ１を送信したプリンタ１５Ａに紐付けてＳ１７にて記憶部２５に記憶したＡＲコードＡＲ１とを、Ｓ１９にて予め送信先が設定された携帯端末１３Ａのメールアドレスに送信する（図６及び図４のＳ３７）。サムネイル画像データＳＧ１とＡＲコードＡＲ１とが携帯端末１３Ａに送信されるのは、後述するように、ユーザＵが、携帯端末１３Ａの撮像部３９を使用して複数のプリンタ１５Ａ，１５Ｂ等に表示されたＡＲコードＡＲ１，ＡＲ２を撮像し、タッチパネル３６にサムネイル画像データＳＧ１が表示される否かによって、セキュア印刷ジョブＪＯＢ１を蓄積するプリンタ１５Ａの所在を確認するのに必要となるからである。
【００５４】
一方、プリンタ１５Ａの制御部４１は、通信部４７を介してＰＣ１４Ａから印刷ジョブＪＯＢ１を受信すると（Ｓ４１）、セキュア印刷ジョブＪＯＢ１を記憶部４４に記憶する（Ｓ４７）。この際に、制御部４１は、送信元のＰＣ１４Ａの識別情報（ユーザ名、ＰＣ名など）をセキュア印刷ジョブＪＯＢ１に関連付けて記憶する。この識別情報は、例えば、プリンタ１５Ａの表示部４５に複数の印刷ジョブを表示した場合に、ユーザＵが自身の印刷ジョブを確認するために、印刷ジョブの表示に付加するための情報である。
【００５５】
次に、制御部４１は、ＡＲコードＡＲ１を表示部４５に表示する処理を行う。制御部４１は、既に、ＡＲコードＡＲ１が表示済みである場合、例えば、他のセキュア印刷ジョブを受信又は実行しているために、ＡＲコードＡＲ１を表示部４５に表示している状態である場合には（Ｓ４９：ＹＥＳ）、表示処理を行わずに処理を終了する。また、制御部４１は、ＡＲコードＡＲ１を表示していない場合には（Ｓ４９：ＮＯ）、ＡＲコードＡＲ１を表示部４５に表示した後に（Ｓ５１）、処理を終了する。これにより、図３に示すように、表示部４５には、ＡＲコードＡＲ（ＡＲコードＡＲ１）が表示された状態となる。
【００５６】
次に、携帯端末１３Ａを用いて撮像されたＡＲコードに関連付けられたサムネイル画像を表示する処理について説明する。図７は、撮像されたＡＲコードを判定し、判定結果に応じてサムネイル画像データＳＧ１を表示する制御部３１による処理動作のフローチャートを示している。制御部３１は、例えば、ＰＣ１４Ａからサムネイル画像データＳＧ１及びＡＲコードＡＲ１を受信するのに合わせて、図７に示す処理動作を開始する。
【００５７】
携帯端末１３Ａの制御部３１は、図６のＳ３７においてＰＣ１４Ａから送信されたサムネイル画像データＳＧ１及びＡＲコードＡＲ１を受信する（図７のＳ６１）。制御部３１は、受信したサムネイル画像データＳＧ１とＡＲコードＡＲ１とを関連付けた上で、メモリ３５に記憶する（Ｓ６３）。
【００５８】
次に、制御部３１は、メモリ３５への記憶処理が終了すると、撮像部３９を自動で起動し、撮像機能の初期設定等を行う（Ｓ６４）。また、制御部３１は、撮像部３９によって撮像された撮像データの中からＡＲコードＡＲ１を読み込む処理を開始する（Ｓ６５）。
【００５９】
制御部３１は、撮像部３９によって撮像された撮像データが、Ｓ６３において関連付けてメモリ３５に記憶したＡＲコードＡＲ１と一致しているか否かを判定する（Ｓ６７）。例えば、図４に示すように、オフィスのフロアー内には、ＬＡＮに接続されたプリンタ１５Ａ，１５Ｂを含む複数のプリンタ１５が設置されている。各プリンタ１５Ａ，１５Ｂは、互いに異なるＡＲコードＡＲ１，ＡＲ２を保有しており、セキュア印刷ジョブを受け付けると、保有しているＡＲコードＡＲ１，ＡＲ２を表示部４５に表示する。ユーザＵは、フロアー内を歩きながらＡＲコードＡＲ１，ＡＲ２などが表示された複数のプリンタ１５Ａ，１５Ｂを見つけ出し、見つけたプリンタ１５Ａ，１５ＢのＡＲコードＡＲ１，ＡＲ２を携帯端末１３で撮像する。この間、制御部３１は、撮像データとＡＲコードＡＲ１とが一致するまで、判定処理を繰り返し実施する（Ｓ６７：ＮＯ）。
【００６０】
制御部３１は、撮像データとメモリ３５に記憶されたＡＲコードＡＲ１とが一致した場合には（Ｓ６７：ＹＥＳ）、ＡＲコードＡＲ１に関連付けられたサムネイル画像データＳＧ１をタッチパネル３６に表示する（Ｓ６９）。図８は、プリンタ１５Ａの表示部４５に表示されたＡＲコードＡＲ１を読み込んだ際のタッチパネル３６の表示状態を示している。図８に示すように、携帯端末１３Ａのタッチパネル３６には、サムネイル画像データＳＧ１が、撮像部３９によって撮像したプリンタ１５Ａに重ねて表示されている。サムネイル画像データＳＧ１は、例えば、セキュア印刷ジョブＪＯＢ１の最初に印刷するページである。制御部３１は、例えば、撮像部３９によって撮像された画像を解析してプリンタ１５Ａの位置を検出し、検出したプリンタ１５Ａの位置に重ね合わせるようにしてサムネイル画像データＳＧ１を表示する。
【００６１】
次に、制御部３１は、所定時間が経過したか否かの判定を繰り返し行い（Ｓ７１：ＮＯ）、サムネイル画像データＳＧ１をタッチパネル３６に表示する状態を維持する。この所定時間は、例えば、ユーザＵがタッチパネル３６に表示されたサムネイル画像データＳＧ１を確認するのに十分な時間が設定される。制御部３１は、所定時間が経過すると（Ｓ７１：ＹＥＳ）、タッチパネル３６に表示したサムネイル画像データＳＧ１を消去する（Ｓ７３）。
【００６２】
次に、制御部３１は、サムネイル画像データＳＧ１を非表示とするのにともなって、メモリ３５に記憶されたサムネイル画像データＳＧ１及びＡＲコードＡＲ１に拘わるデータ、即ち、ＰＣ１４Ａから受信したセキュア印刷ジョブＪＯＢ１に拘わるデータを消去する（Ｓ７５）。そして、制御部３１は、撮像部３９を停止する（Ｓ７７）。
【００６３】
次に、プリンタ１５Ａのセキュア印刷ジョブを実行する処理について図９を参照しつつ説明する。プリンタ１５Ａの制御部４１は、例えば、ユーザＵにより操作部４３が操作され、セキュア印刷ジョブＪＯＢ１の実行が選択されると、図６のＳ３１で設定したセキュア印刷ジョブＪＯＢ１のパスワードの入力を促す旨を表示部４５に表示する（Ｓ８１）。制御部４１は、操作部４３により入力されたパスワードとセキュア印刷ジョブＪＯＢ１に設定されたものとが一致すると、セキュア印刷ジョブＪＯＢ１の内容に従って印刷部４９を制御し印刷データをシートに印刷する（Ｓ８３）。また、制御部４１は、実行されたセキュア印刷ジョブ（Ｓ８３）の終了にともなって、セキュア印刷ジョブＪＯＢ１に拘わるデータを記憶部４４から消去する（Ｓ８５）。なお、制御部４１は、入力されたパスワードが一致しない場合に、表示部４５にエラーを表示する処理を実行してもよい。
【００６４】
次に、制御部４１は、他の未実行のセキュア印刷ジョブが蓄積されているか否かを判定する（Ｓ８７）。制御部４１は、他のセキュア印刷ジョブが蓄積されている場合には（Ｓ８７：ＹＥＳ）、表示部４５のＡＲコードＡＲ１の表示を維持したまま処理を終了する。一方、制御部４１は、他のセキュア印刷ジョブが蓄積されていない場合には（Ｓ８７：ＮＯ）、表示部４５に表示したＡＲコードＡＲ１を消去する（Ｓ８９）。このようにして、本実施形態の印刷システム１０では、セキュリティを向上した印刷処理が実行される。
【００６５】
因みに、印刷システム１０は、印刷ジョブ確認システムの一例である。ＰＣ１４，１４Ａ，１４Ｂは、情報処理端末の一例である。プリンタ１５は、印刷装置の一例である。プリンタ１５Ａは、第１印刷装置の一例である。プリンタ１５Ｂは、第２印刷装置の一例である。ＡＲコードＡＲ１は、第１認証コードの一例である。ＡＲコードＡＲ２は、第２認証コードの一例である。制御部３１は、判定部及び関連付け処理部の一例である。表示部４５は、印刷装置側表示部の一例である。通信部２７は、情報処理端末側通信部の一例である。タッチパネル３６は、端末側表示部の一例である。Ｓ３５の処理は、ジョブ送信ステップの一例である。Ｓ３７の処理は、ジョブ確認用情報送信ステップの一例である。Ｓ６３の処理は、携帯端末側記憶ステップの一例である。Ｓ５１の処理は、認証コード表示ステップの一例である。Ｓ６５の処理は、撮像ステップの一例である。Ｓ６７の処理は、認証コード判定ステップの一例である。Ｓ６９の処理は、サムネイル画像表示ステップの一例である。Ｓ１７の処理は、情報処理端末側記憶ステップの一例である。Ｓ１３の処理は、認証コード要求ステップの一例である。Ｓ２３の処理は、応答ステップの一例である。Ｓ３３の処理は、作成ステップの一例である。Ｓ４３の処理は、ジョブ判定ステップの一例である。Ｓ６４の処理は、起動ステップの一例である。Ｓ７１の処理は、表示消去判定ステップの一例である。Ｓ７３の処理は、端末側表示消去ステップの一例である。Ｓ７５の処理は、ジョブ確認用情報消去ステップの一例である。Ｓ７７の処理は、停止ステップの一例である。Ｓ８１の処理は、認証情報入力ステップの一例である。Ｓ８３の処理は、セキュア印刷判定ステップ、及びセキュア印刷ステップの一例である。Ｓ８７の処理は、未実行ジョブ判定ステップの一例である。Ｓ８９の処理は、印刷装置側消去ステップの一例である。
【００６６】
以上、上記した第１実施形態によれば、以下の効果を奏する。
印刷システム１０は、プリンタ１５Ａ，１５Ｂの各々が、互いに異なるＡＲコードＡＲ１，ＡＲ２を有している。ＰＣ１４Ａは、セキュア印刷ジョブＪＯＢ１をプリンタ１５Ａに送信した後に（図６のＳ３５）、サムネイル画像データＳＧ１とＡＲコードＡＲ１とを、携帯端末１３Ａのメールアドレスに送信する（Ｓ３７）。一方で、プリンタ１５Ａは、ＡＲコードＡＲ１を表示部４５に表示する（Ｓ５１）。そして、ユーザＵは、ＬＡＮに接続された複数のプリンタ１５Ａ，１５Ｂなどに表示されたＡＲコードＡＲ１，ＡＲ２を、携帯端末１３Ａで撮像する。携帯端末１３Ａは、撮像したデータとＡＲコードＡＲ１とが一致した場合には（Ｓ６７：ＹＥＳ）、サムネイル画像データＳＧ１をタッチパネル３６に表示する（Ｓ６９）。
【００６７】
このような構成では、複数のセキュア印刷ジョブがプリンタ１５Ａに蓄積される場合に、セキュア印刷ジョブごとに異なるＡＲコードを表示する必要がなくなる。例えば、図４に示すように、ＰＣ１４Ａによるセキュア印刷の実行と同じタイミングで、ＰＣ１４Ｂが、セキュア印刷ジョブＪＯＢ２をプリンタ１５Ａに送信した場合を考える。プリンタ１５Ａは、セキュア印刷ジョブＪＯＢ１の他に、セキュア印刷ジョブＪＯＢ２を受信したとしても、表示部４５にはＡＲコードＡＲ１のみが表示された状態となる。一方、ＰＣ１４Ｂは、セキュア印刷ジョブＪＯＢ２をプリンタ１５Ａに送信した後に、セキュア印刷ジョブＪＯＢ２のサムネイル画像データＳＧ２とＡＲコードＡＲ１とを、携帯端末１３Ｂに送信する。ＰＣ１４ＢのユーザＵが、携帯端末１３Ｂを使用してプリンタ１５Ａに表示されたＡＲコードＡＲ１を撮像すると、サムネイル画像データＳＧ２が携帯端末１３Ｂのタッチパネル３６に表示される。これにより、複数のユーザＵは、プリンタ１５Ａに表示された１つのＡＲコードＡＲ１を各携帯端末１３Ａ，１３Ｂで撮像するだけで、撮像したプリンタが自身のセキュア印刷ジョブＪＯＢ１，ＪＯＢ２を蓄積している装置であるかを確認できる。
【００６８】
なお、本発明は、上記各実施形態に限定されるものではなく、当業者の知識に基づいて種々の変更、改良を施した種々の態様で実施することが可能である。
例えば、上記実施形態において、ＡＲコードＡＲ１及びサムネイル画像データＳＧ１を、ＰＣ１４Ａが携帯端末１３Ａに送信する構成であったが、これに限定されない。例えば、プリンタ１５Ａが、受信したセキュア印刷ジョブＪＯＢ１に基づいてサムネイル画像データＳＧ１を作成し、作成したサムネイル画像データＳＧ１及びＡＲコードＡＲ１を携帯端末１３Ａに送信する構成でもよい。あるいは、プリンタ１５ＡがＡＲコードＡＲ１を送信し、ＰＣ１４Ａがサムネイル画像データＳＧ１を送信する構成でもよい。
また、ＡＲコードＡＲ１とサムネイル画像データＳＧ１とは、時間を空けて別々に携帯端末１３Ａに送信されてもよい。
【００６９】
また、上記実施形態において、プリンタ１５Ａの制御部４１を、受信した印刷ジョブについて、セキュア印刷ジョブ又は通常の印刷ジョブであるかを判定する構成としてもよい。図１０は、上記実施形態とは異なる構成の制御部４１によるＡＲコードを表示する処理動作のフローチャートを示している。なお、以下の説明では、上記実施形態（主に、図６に拘わる部分）と同様の構成については、同一符号を付し、その説明を適宜省略する。
【００７０】
図１０において、プリンタ１５Ａの制御部４１は、通信部４７を介してＰＣ１４Ａから印刷ジョブを受信すると（Ｓ４１）、受信した印刷ジョブにパスワードが設定されているか否か、即ち、セキュア印刷ジョブであるか否かを判定する（Ｓ４３）。制御部４１は、受信したジョブがセキュア印刷ジョブでない場合には（Ｓ４３：ＮＯ）、印刷ジョブに基づいて、通常の印刷処理を実行する（Ｓ４５）。また、制御部４１は、受信した印刷ジョブがセキュア印刷ジョブである場合には（Ｓ４３：ＹＥＳ）、上記実施形態と同様に、Ｓ４７以降の処理を実行する。このような構成では、セキュア印刷を実行していない期間は、プリンタ１５Ａの表示部４５にＡＲコードＡＲ１を表示せずに他の情報を表示することで表示領域を有効に活用する等が可能となる。
【００７１】
また、上記実施形態では、プリンタ１５においてセキュア印刷ジョブを実行するための認証情報としてパスワードを用いた例を説明したが、これに限定されず、認証カード（磁気カード）の読み込みや近距離無線通信を用いた認証でもよい。例えば、プリンタ１５に携帯端末１３をかざして近距離無線通信により認証を実施してもよい。
【００７２】
また、上記実施形態では、ＰＣ１４Ａは、プリンタ１５ＡからＡＲコードＡＲ１を直接取得する処理を行ったが、これに限定されず、例えば、ＡＲコードＡＲ１，ＡＲ２を統括的に管理するサーバを設けてもよい。この場合、ＰＣ１４Ａ，１４Ｂは、サーバからＡＲコードＡＲ１，ＡＲ２を適宜取得する処理を行ってもよい。
また、上記実施形態において、ＰＣ１４Ａにプリンタドライバをインストールする際に、ＡＲコードＡＲ１を取得する処理を実施したが（図５のＳ１１，Ｓ１３）、ＡＲコードＡＲ１を取得するタイミングはこれに限定されない。例えば、ＰＣ１４Ａは、プリンタドライバをインストールした後、初めてプリンタ１５Ａに対してセキュア印刷ジョブを送信するタイミングで、ＡＲコードＡＲ１を要求してもよい。
【００７３】
また、上記実施形態では、携帯端末１３Ａに送信するためのサムネイル画像データＳＧ１を、ＰＣ１４Ａのサムネイル画像作成部２２が作成したが、これに限定されない。例えば、セキュア印刷ジョブを受信したプリンタ１５Ａ，１５Ｂがサムネイル画像データＳＧ１を作成してもよい。
また、上記実施形態では、制御部４１は、セキュア印刷ジョブＪＯＢ１がセキュア印刷ジョブである場合に（図６のＳ４３：ＹＥＳ）、ＡＲコードＡＲ１を表示部４５に表示する処理を行っていたが、これに限定されない。例えば、制御部４１は、受信したセキュア印刷ジョブＪＯＢ１がセキュア印刷ジョブであるか否かに拘わらずＡＲコードＡＲ１を表示する構成でもよい。あるいは、制御部４１は、操作部４３に対する操作指示に応じて、ＡＲコードＡＲを表示部４５に表示する構成でもよい。
【００７４】
また、上記実施形態では、制御部３１は、サムネイル画像データＳＧ１及びＡＲコードＡＲ１を受信すると（図７のＳ６１）、サムネイル画像データＳＧ１とＡＲコードＡＲ１とを関連付けた上でメモリ３５に記憶し（Ｓ６３）、撮像部３９を自動で起動する（Ｓ６４）処理を行っていたが、これに限定されない。例えば、制御部３１を、ユーザＵのタッチパネル３６に対する撮像部３９の起動指示に応じて、撮像部３９を起動する構成に変更してもよい。
【００７５】
また、上記実施形態では、制御部３１は、所定時間が経過すると（図７のＳ７１：ＹＥＳ）、タッチパネル３６に表示したサムネイル画像データＳＧ１を自動で消去する（Ｓ７３）処理を実行したが、サムネイル画像データＳＧ１を消去する消去条件はこれに限定されない。例えば、制御部３１を、ユーザＵからの画像消去要求を受け付けてからタッチパネル３６に表示したサムネイル画像データＳＧ１を消去する構成に変更してもよい。
【００７６】
また、上記実施形態では、制御部３１は、サムネイル画像データＳＧ１を非表示とするのにともなって、メモリ３５に保存されたサムネイル画像データＳＧ１及びＡＲコードＡＲ１を自動で消去する（Ｓ７５）処理を実行したが、これに限定されない。例えば、制御部３１は、サムネイル画像データＳＧ１を非表示とした後も、ユーザＵからの指示等があるまでメモリ３５に保存されたサムネイル画像データＳＧ１等を消去しない設定でもよい。
【００７７】
また、上記実施形態では、制御部３１は、サムネイル画像データＳＧ１を非表示とするのにともなって、撮像部３９を停止する（Ｓ７７）処理を実行したが、これに限定されない。例えば、制御部３１は、サムネイル画像データＳＧ１を非表示とした後も、ユーザＵからの指示等があるまで撮像部３９を停止しない設定でもよい。
【００７８】
また、上記実施形態では、制御部４１は、セキュア印刷ジョブを実行後、他の印刷ジョブが存在しない場合には（図９のＳ８７：ＮＯ）、表示部４５に表示したＡＲコードＡＲ１を消去する（Ｓ８９）処理を実行したが、これに限定されない。例えば、制御部４１は、他の未実行の印刷ジョブが存在していなくとも、ユーザＵからの指示等があるまで表示部４５に表示したＡＲコードＡＲ１を消去しない設定でもよい。
【００７９】
また、上記実施形態では、本願におけるサムネイル画像データとして、印刷する画像データを縮小した画像データを用いたが、サムネイル画像データとしては、例えば、ユーザＵが自己の印刷ジョブであることを認識可能なデータであればよく、印刷ジョブの内容を表したテキストやマークでもよい。
また、上記実施形態では、印刷システム１０は、複数のプリンタ１５を備えたが、例えば、互いに異なるＡＲコードを有する２つのプリンタ１５を備える構成でもよい。
【符号の説明】
【００８０】
１０  印刷システム（印刷ジョブ確認システム）、１３，１３Ａ，１３Ｂ  携帯端末、１４，１４Ａ，１４Ｂ  ＰＣ（情報処理端末）、１５  プリンタ（印刷装置）、２７  通信部（情報処理端末側通信部）、３１  制御部（判定部、関連付け処理部）、３６  タッチパネル（端末側表示部）、３７  通信部、３９  撮像部、４５  表示部（印刷装置側表示部）、１５Ａ  プリンタ（第１印刷装置）、１５Ｂ  プリンタ（第２印刷装置）、ＡＲ１  ＡＲコード（第１認証コード）、ＡＲ２  ＡＲコード（第２認証コード）、ＳＧ１，ＳＧ２  サムネイル画像データ、ＪＯＢ１，ＪＯＢ２  セキュア印刷ジョブ。
【図１】
2016071735.tif 000003
【図２】
2016071735.tif 000004
【図３】
2016071735.tif 000005
【図４】
2016071735.tif 000006
【図５】
2016071735.tif 000007
【図６】
2016071735.tif 000008
【図７】
2016071735.tif 000009
【図８】
2016071735.tif 000010
【図９】
2016071735.tif 000011
【図１０】
2016071735.tif 000012